(57)【要約】【課題】  患者別の医療情報を適切に確認でき、医療行為を的確に遂行できる患者別医療情報確認システムを提供する。【解決手段】  患者が携帯する当該患者の個人情報を記憶するリストバンド１から自動的に読み込んだ情報と、医療従事者が携帯する当該医療従事者個人情報を記憶するＩＤカード２から自動的に読み込んだ情報と、医薬品に付属するタグ３から自動的に読み込んだ当該医薬品情報を、無線又は有線ネットワークで接続したホスト計算機５のデータベースから読み込んだ当該患者に関する情報と照合する照合手段を備え、前記照合手段の照合動作により、投与前において、当該患者への投与が適切であるか、部屋内に設置した表示パネルに内容を表示するようにした。【選択図】        図２
2005038265.tif 000002
【特許請求の範囲】
【請求項１】
患者が携帯する当該患者の個人情報を記憶する患者情報記憶手段から読み取り装置により自動的に読み込んだ情報と、医療従事者が携帯する当該医療従事者個人情報を記憶する医療従事者情報記憶手段から読み取り装置により自動的に読み込んだ情報と、医薬品に付属する医薬品情報記憶手段から読み取り装置により自動的に読み込んだ当該医薬品情報を、前記読み取り装置とネットワークで接続したホスト計算機のデータベースから読み込んだ当該患者に関する情報と照合する照合手段を備え、前記照合手段の照合動作により、当該患者への投与が適切であるかどうかを、当該医療従事者を含む関係者に報知することを特徴とする患者別医療情報確認システム。
【請求項２】
患者が携帯する当該患者の個人情報を記憶するリストバンドから読み取り装置により自動的に読み込んだ情報と、医療従事者が携帯する当該医療従事者個人情報を記憶するＩＤカードから読み取り装置により自動的に読み込んだ情報と、医薬品に付属するタグから読み取り装置により自動的に読み込んだ当該医薬品情報を、前記読み取り装置と無線又は有線ネットワークで接続したホスト計算機のデータベースから読み込んだ当該患者に関する情報と照合する照合手段を備え、前記照合手段の照合動作により、投与前において、当該患者への投与が適切であるか、当該医療従事者により当該患者へ医薬品の投与が行われる部屋内に設置した表示パネルに報知内容を表示する表示手段を設けたことを特徴とする患者別医療情報確認システム。
【請求項３】
患者が携帯する当該患者の個人情報を記憶するリストバンドから読み取り装置により自動的に読み込んだ情報と、医療従事者が携帯する当該医療従事者個人情報を記憶するＩＤカードから読み取り装置により自動的に読み込んだ情報と、医薬品に付属するタグから読み取り装置により自動的に読み込んだ当該医薬品情報を、前記読み取り装置と無線又は有線ネットワークで接続したホスト計算機のデータベースから読み込んだ当該患者に関する情報と照合する照合手段を備え、前記照合手段の照合動作により、投与前において、当該患者への投与が適切であるか、当該医療従事者により当該患者へ医薬品の投与が行われる部屋内に設置したスピーカによりブザー音または音声により確認でき、不適切な場合はアラーム及び／又は音声で警告を発生する通報手段を設けたことを特徴とする患者別医療情報確認システム。
【請求項４】
患者が携帯する当該患者の個人情報を記憶するリストバンドから読み取り装置により自動的に読み込んだ情報と、医療従事者が携帯する当該医療従事者個人情報を記憶するＩＤカードから読み取り装置により自動的に読み込んだ情報と、医薬品に付属するタグから読み取り装置により自動的に読み込んだ当該医薬品情報を、前記読み取り装置と無線又は有線ネットワークで接続したホスト計算機のデータベースから読み込んだ当該患者に関する情報と照合する照合手段を備え、前記照合手段の照合動作により、投与前において、当該患者への投与が適切であるか、当該医療従事者により当該患者へ医薬品の投与が行われる部屋内に設置した表示パネルに報知内容を表示する表示手段を設けるとともに、前記照合手段の照合動作により、投与前において、当該患者への投与が適切であるか、当該医療従事者により当該患者へ医薬品の投与が行われる部屋内に設置したスピーカによりブザー音または音声により確認でき、不適切な場合はアラーム及び／又は音声で警告を発生する通報手段を設け、前記表示手段及び前記通報手段の設置場所、設置条件によって、前記表示手段及び／又は前記通報手段を作動させることを特徴とする患者別医療情報確認システム。
【請求項５】
前記照合手段における照合動作関連情報を前記ホスト計算機へ記録し、監視部署での確認及び／又は監視部署への通報を行うことを特徴とする請求項１から請求項４までのいずれかに記載の患者別医療情報確認システム。
【請求項６】
患者が携帯する当該患者の個人情報を記憶する患者情報記憶手段から読み取り装置により自動的に読み込んだ患者情報と、医療従事者が携帯する当該医療従事者の個人情報を記憶する医療従事者情報記憶手段から読み取り装置により自動的に読み込んだ医療従事者情報と、医薬品に付属する医薬品情報記憶手段から読み取り装置により自動的に読み込んだ医薬品情報を、前記読み取り装置とネットワークで接続したホスト計算機のデータベースへ投与記録として自動的に記録し、前記患者情報及び前記医療従事者情報並びに前記医薬品情報を当該医療従事者を含む関係者に報知することを特徴とする請求項１から請求項５までのいずれかに記載の患者別医療情報確認システム。
【請求項７】
患者が携帯する当該患者の個人情報を記憶する患者情報記憶手段から読み取り装置により自動的に読み込んだ患者情報と、医療従事者が携帯する当該医療従事者の個人情報を記憶する医療従事者情報記憶手段から読み取り装置により自動的に読み込んだ医療従事者情報と、医薬品に付属する医薬品情報記憶手段から読み取り装置により自動的に読み込んだ医薬品情報を、前記読み取り装置と無線又は有線ネットワークで接続したホスト計算機のデータベースへ投与記録として自動的に記録し、前記患者情報及び前記医療従事者情報並びに前記医薬品情報を部屋内に設置した表示パネルで確認できることを特徴とする請求項１から請求項５までのいずれかに記載の患者別医療情報確認システム。
【請求項８】
患者が携帯する当該患者の個人情報を記憶する患者情報記憶手段から、当該個人情報を、病院内通路及び部屋内に設置した自動読み取り装置で読み取り、当該患者の所在場所を、監視部署に設置した監視端末の画面で確認することができることを特徴とした請求項１から請求項７までのいずれかに記載の患者別医療情報確認システム。
【請求項９】
患者が携帯する当該患者の個人情報を記憶する患者情報記憶手段から、当該個人情報を、病院内通路及び部屋内に設置した自動読み取り装置で読み取り、当該患者の所在場所から移動経路を記録し、監視部署に設置した監視端末の画面で確認することができることを特徴とした請求項１から請求項８までのいずれかに記載の患者別医療情報確認システム。
【請求項１０】
患者が携帯する当該患者の個人情報を記憶する患者情報記憶手段から、病院内通路に設置した前記自動読み取り装置で読み込んだ情報を、無線又は有線ネットワークで接続したホスト計算機のデータベースと照合し、患者の立ち入り制限区域への進入時に、アラームもしくは音声とともに病院内通路表示装置に表示し、監視部署へ通報することを特徴とする請求項１から請求項９までのいずれかに記載の患者別医療情報確認システム。
【請求項１１】
患者が携帯する当該患者の個人情報を記憶する患者情報記憶手段から、病院内通路に設置した前記自動読み取り装置で読み込んだ情報を、無線又は有線ネットワークで接続したホスト計算機のデータベースと照合し、診療時に次の診療場所への適切な案内を病院内通路表示装置へ表示することにより情報提供することを特徴とした請求項１から請求項９までのいずれかに記載の患者別医療情報確認システム。
【請求項１２】
患者が携帯する当該患者の個人情報を記憶する患者情報記憶手段から自動的に読み込んだ情報と、病院内通路に設置した前記自動読み取り装置で読み込んだ情報を、無線又は有線ネットワークで接続したホスト計算機のデータベースから、患者搬送時の搬送区域が適切であるか照合し、適切な場合はブザー音及び／又は音声にて適切であることを案内し、不適切なときは、アラーム及び／又は音声とともに警告を病院内通路表示装置に表示し、監視部署へ通報することを特徴とする請求項１から請求項１１までのいずれかに記載の患者別医療情報確認システム。
【請求項１３】
医療従事者が携帯する当該医療従事者個人情報を記憶する医療従事者情報記憶手段から、当該個人情報を、病院内通路及び部屋内に設置した自動読み取り装置で読み取り、当該医療従事者の所在場所を、監視部署に設置した監視端末の画面で確認することができることを特徴とした請求項１から請求項１２までのいずれかに記載の患者別医療情報確認システム。
【請求項１４】
外来見舞い者に識別情報を記憶する外来者識別情報記憶手段を携帯させ、病院内通路に設置した自動読み取り装置で読み込んだ当該位置情報を、無線又は有線ネットワークで接続したホスト計算機のデータベースで照合し、目的とする部屋までの適切な案内を病院内通路表示装置へ表示することにより情報提供することを特徴とした請求項１から請求項１３までのいずれかに記載の患者別医療情報確認システム。
【請求項１５】
外来見舞い者に識別情報を記憶する外来者識別情報記憶手段を携帯させ、病院内通路に設置した自動読み取り装置で読み込んだ当該位置情報を、無線又は有線ネットワークで接続したホスト計算機のデータベースで照合し、外来見舞い者の立ち入り制限区域への進入時に、アラームもしくは音声とともに病院内通路表示装置に表示し、監視部署へ通報することを特徴とする患者別医療情報確認システム。
【請求項１６】
自動読み取り装置で読み込んだ外来見舞い者の識別情報に基づき、外来見舞い者が見舞う入院患者の面会可能状況を無線又は有線ネットワークで接続したホスト計算機のデータベースによって把握し、病院内通路表示装置で面会可能状況を確認することを特徴とする請求項１４または請求項１５に記載の患者別医療情報確認システム。
【請求項１７】
前記外来者識別情報記憶手段の識別情報により開示する情報を制限することを特徴とする請求項１４から請求項１６までのいずれかに記載の患者別医療情報確認システム。
【請求項１８】
病院情報として、売店場所、売店営業時間、食堂場所、食堂営業時間を記憶し、部屋内または通路に設置した表示装置で前記病院情報を確認できることを特徴とする請求項１１あるいは請求項１４または請求項１５に記載の患者別医療情報確認システム。
【請求項１９】
病院スタッフが携帯する当該病院スタッフ個人情報を記憶する医療従事者情報記憶手段から、当該個人情報を、病院内通路及び部屋内に設置した自動読み取り装置で読み取り、当該病院スタッフの所在場所を、監視部署に設置した監視端末の画面で確認することができることを特徴とした請求項１から請求項１２までのいずれかに記載の患者別医療情報確認システム。
【発明の詳細な説明】
【技術分野】
【０００１】
この発明は、患者別医療情報確認システム、特に、医療現場において、非接触式の無線通信機能によって利用者が意識することなく、自動的または必要に応じて意識的に、患者診療情報、個人情報、病院情報を、ホスト計算機のデータベースから照合・記録することによって、患者取り違え、医薬品取り違え、投与間違いが発生しないようにするとともに、利用者へ病院内での情報を提供する、患者別医療情報確認システムに関するものである。
【背景技術】
【０００２】
従来技術における患者用リストバンドとハンディ端末を用いた医療情報処理装置及び医療情報処理方法は、医療従事者が意識的に情報を読み込ませる必要があり、通知手段はハンディ端末のブザー通知もしくは表示部に表示するのみである（例えば、特許文献１参照）。
【０００３】
【特許文献１】特開２００２−１０９０７０号公報（第１１頁、図１６）
【発明の開示】
【発明が解決しようとする課題】
【０００４】
医療現場において、患者取り違え、医薬品取り違え、投与ミスなどの医療ミスが増加している。
【０００５】
患者用リストバンドと専用読み取り装置による情報照合は、医療従事者が、意識的に読み取りを操作する必要があり、照会し忘れや読み取り作業の煩わしさの課題があった。
【０００６】
医療従事者の投与管理はカルテや診療記録により記録しているが、診療情報の履歴管理については第三者的な記録方法がなく、申請記録に頼っているため信憑性の課題があった。また記録作業は医療従事者への負荷となり、記録し忘れの課題もあった。
【０００７】
大規模かつ多くの病棟や病室を保有する病院において、病院内の案内や立ち入り制限の管理が複雑になっている。
病院内での患者の移動や搬送にともなう確認作業、外来見舞い者の案内、医療従事者の所在確認などの、本来の医療業務ではない作業が発生していた。
【０００８】
この発明は、患者別の医療情報を適切に確認でき、医療行為を的確に遂行できる患者別医療情報確認システムを提供しようとするものである。
【課題を解決するための手段】
【０００９】
この発明に係る患者別医療情報確認システムでは、患者が携帯する当該患者の個人情報を記憶する患者情報記憶手段から読み取り装置により自動的に読み込んだ情報と、医療従事者が携帯する当該医療従事者個人情報を記憶する医療従事者情報記憶手段から読み取り装置により自動的に読み込んだ情報と、医薬品に付属する医薬品情報記憶手段から読み取り装置により自動的に読み込んだ当該医薬品情報を、前記読み取り装置とネットワークで接続したホスト計算機のデータベースから読み込んだ当該患者に関する情報と照合し、当該患者への投与が適切であるかどうかを関係者に報知するようにしたものである。
【発明の効果】
【００１０】
この発明によれば、患者別の医療情報を適切に確認でき、医療行為を的確に遂行できる患者別医療情報確認システムを提供することができる。
【発明を実施するための最良の形態】
【００１１】
実施の形態１．
この発明による実施の形態１を図１から図３までについて説明する。図１は実施の形態１における基本的構成を示すブロック図である。図２は実施の形態１におけるシステムの構成を示すブロック図である。図３は実施の形態１におけるシステムの動作を示すフローチャートである。
【００１２】
基本的構成を示す図１において、読み取り装置４は、患者情報、医療品情報及び医療従事者情報を自動的に読み取り、表示部で情報表示及び警告を行う。
ホスト計算機５は、患者情報データ、医療品情報データ、医療従事者情報データ、病院情報データ及びカルテデータを入力されて保有し、表示部で情報表示及び警告を行う。
そして、読み取り装置４とホスト計算機５とは、互いに情報データの授受を無線又は有線ネットワークを介して行う。
【００１３】
システム構成を示す図２において、患者が携帯する当該患者の個人情報を記憶するリストバンド１、医療従事者が携帯する当該医療従事者の個人情報を記憶するＩＤカード２、医薬品に付属する当該医薬品情報を記憶したタグ３、前記リストバンド１，前記ＩＤカード２，前記タグ３の情報を自動的に読み取る自動読み取り装置４、前記自動読み取り装置４と無線又は有線ネットワークで接続したホスト計算機５、及び、監視端末６で構成される。
【００１４】
リストバンド１は患者毎に識別番号を保有するとともに、個人情報として患者氏名などの個人を特定するための情報、診療基本情報、アクセス権レベルを保有している。
【００１５】
自動読み取り装置４はセンサー部４−１、表示部４−２、ネットワークインタフェース部４−３（図示せず）、データ処理部４−４（図示せず）、ブザー・スピーカ部４−５（図示せず）で構成される。表示部４−２はタッチパネルとすることでボタン表示の入力を受け付けることができる。設置場所に応じてタッチパネルではなく、専用ボタンとすることもできる。
前記自動読み取り装置４の構成は一体型もしくは分離型とし、場所、用途に応じてセンサー部４−１を外付けとしたり、表示部４−２を外付けとしたり、データ処理部４−４を外付けとしたり、これら構成要素の組み合わせの外付けとする。
また、必要に応じ、センサー部４−１及び／又は表示部４―２を増設可能とし、増設したセンサー部４−１及び表示部４−２も利用可能とすることにより、故障時の対応及び利用時の利便性を高める。
前記自動読み取り装置４は病院内の入院患者部屋内や病院内通路に複数式設置され、設置場所に応じて表示部４−２を省略し、データ参照の制限を有することとする。
また、センサー部４−１はアンテナ部分を外出しとして感度が最適となるように配置することで自動読み取り可能とする。
【００１６】
ホスト計算機５は監視室又はナースセンターに設置され、ＣＰＵ装置５−１（図示せず）、記憶装置５−２、表示装置５−３、ネットワークインタフェース部５−４（図示せず）、警報表示部５−５、ブザー・スピーカ部５−６（図示せず）で構成される。データベースとして入院患者個人情報及び医療従事者個人情報、医薬品情報、病院情報を保有する。
自動読み取り装置４から送信された情報を、ネットワークインタフェース部５−４を介して、データベースと照合することにより、照合結果を当該自動読み取り装置４の表示部４−２及びブザー・スピーカ部４−５へ表示・警告音発生する。
【００１７】
前記ホスト計算機５が保有する入院患者個人情報は、患者氏名、年齢、性別、身長、体重、診療科、主治医情報、診療基本情報、病院内アクセス権レベルであり、診療基本情報と前記タグ３による医薬品情報の照合でカルテ情報と連携し、医薬品が適切であるか識別する。
【００１８】
前記読み取り装置４で自動的に読み込んだ情報は、読み込んだ時点で表示部４−２に表示する。表示部４−２を目視確認することで、現状の読み込み情報を確認することができる。
読み取り情報はホスト計算機５へ送信されるとともに読み取り装置４のデータ処理部４−４（図示せず）に記録する。
【００１９】
ホスト計算機５では、照合手段を構成する比較処理部を有するＣＰＵ装置５−１（図示せず）によって、患者リストバンド１、医療従事者ＩＤカード２及び医薬品情報タグ３から読み取り装置４によって自動的に読み取られた情報と、ホスト計算機５のデータベース情報とを、比較照合し、当該患者への医薬品の投与が適切であるかどうかの照合結果を導出する。
ホスト計算機５での照合結果は、表示部４−２に表示するとともに読み取り情報もならべて表示し、読み取り情報と照合内容が適切であるかを目視確認できる。
【００２０】
医療従事者は投与時に、投与開始を表示部４−２から投与開始を入力する。投与開始入力でホスト計算機５では投与記録として保存する。
投与開始入力がない場合でも読み込み情報はホスト計算機５において読み込み記録として保存する。
【００２１】
前記ホスト計算機５は履歴管理として入室した医療従事者情報を記録する。記録時間も合わせて記録する。
【００２２】
読み取り装置４は警報を発する場合には表示部４−２に表示、及び／又は、ブザーもしくは警報内容の音声によるガイダンスで警告する。警報内容は当該読み取り装置以外にも監視室及び／またはナースセンターにも画面表示、ブザー・音声などにより通知可能である。
【００２３】
前記ホスト計算機５は必要に応じ２重化構成とし、信頼性を高める。特にデータベース格納部分である記憶装置５−２は、例えばＲＡＩＤ〔Redundant Arrays of Inexpensive(Independent) Disk 〕ディスク構成として、ディスク故障時のデータ消失を防ぐことも可能である。
【００２４】
前記ホスト計算機５の故障時またはネットワーク障害時に備えて、自動読み取り装置４のデータ処理部４−４（図示せず）には患者個人情報を保有し、スタンドアロン状態となっても基本データの参照権、病院内アクセス権の継承を可能とする。
【００２５】
ネットワークは有線及び／又は無線による通信とする。信頼性を確保するために原則有線ネットワークとするが、施工面での制約がある場合または取り付け後の移設等の利便性を考慮する場合などは無線によるネットワークとする。無線の場合はネットワークインタフェースを無線ＬＡＮユニットとし、無線ＬＡＮアクセスポイントを有するネットワークに無線ＬＡＮアクセスポイントを介して接続する。
【００２６】
この発明による実施の形態１における動作を図３について説明する。
患者が在室する入院患者部屋に医療従事者が入室し、医薬品を投与しようとするときには、自動読み取り装置４は、読み取り範囲にある、患者リストバンド１からの患者情報、医療従事者ＩＤカード２からの医療従事者情報、及び、医薬品タグ３からの医薬品情報を読み取りを行い、これらの情報を読み込む（ステップＳ３０１）。
患者情報、医療従事者情報、及び、医薬品情報の全ての情報があるかどうかのチェック動作を行い（ステップＳ３０２）、全ての情報があれば、読み取り情報を表示パネルからなる表示部４−２に表示するとともに、自動読み取り装置４で記録する（ステップＳ３０３）。全ての情報が揃っていなければ、全ての情報が揃っていないことを表示パネルからなる表示部４−２に表示するとともに、自動読み取り装置４で記録する（ステップＳ３０４）。
これらの情報が充分かどうかのチェック動作を行い（ステップＳ３０５）、充分であれば、自動読み取り装置４は読み取り情報をホスト計算機５へ送信する（ステップＳ３０６）。
情報が不充分であれば、再び、患者情報、医療従事者情報、及び、医薬品情報の読み込みを行う（ステップＳ３０１）。
【００２７】
ホスト計算機５では、受信した読み取り情報に基づき、ホスト計算機５が保有するカルテ情報と連携して、当該医薬品の投与が適切かどうかをホスト計算機５のＣＰＵ装置５−１（図示せず）で構成される比較処理部からなる照合手段により照合する（ステップＳ３０７）。そして、ホスト計算機５で照合結果を記録する（ステップＳ３０８）。
ホスト計算機５で照合結果が適切かどうかのチェック動作を行い（ステップＳ３０９）、照合結果が適切であれば、ホスト計算機５は読み取り装置４へ照合結果を送信する（ステップＳ３１０）。
読み取り装置４は、表示パネルからなる表示部４−２により入院患者部屋で読み取り情報と照合結果を並べて表示する（ステップＳ３１１）。
読み取り装置４に設けられた投与開始ボタンの押下によって投与実績が読み取り装置４に記録される（ステップＳ３１２）。
照合結果が適切かどうかのチェック動作（ステップＳ３０９）で照合結果が適切でないと判定されれば、ホスト計算機５にて警報表示及び／ブザー鳴動を行い（ステップＳ３１３）、読み取り装置４へ照合結果を送信する（ステップＳ３１４）。
読み取り装置４は、表示パネルからなる表示部４−２により入院患者部屋で読み取り情報と照合結果を並べて表示する（ステップＳ３１５）。
医療従事者は続行するかどうかを判断し（ステップＳ３１６）、続行するならば、読み取り装置４に設けられた投与開始ボタンを押下する。投与開始ボタンの押下によって投与実績が読み取り装置４に記録される（ステップＳ３１２）。
続行が不適当であると判断したならば、再び、患者情報、医療従事者情報、及び、医薬品情報の読み込みを行う（ステップＳ１０１）。
【００２８】
この発明による実施の形態１によれば、患者が携帯する当該患者の個人情報を記憶するリストバンド１からなる患者情報記憶手段から自動的に読み込んだ情報と、医療従事者が携帯する当該医療従事者個人情報を記憶するＩＤカード２からなる医療従事者情報記憶手段から自動的に読み込んだ情報と、医薬品に付属するタグ３からなる医薬品情報記憶手段から自動的に読み込んだ当該医薬品情報を、無線又は有線ネットワークで接続したホスト計算機５のデータベースから読み込んだ当該患者に関する情報と照合するホスト計算機５のＣＰＵ装置５−１（図示せず）で構成される比較処理部からなる照合手段を備え、前記照合手段の照合動作により、投与前において、当該患者への投与が適切であるか、当該医療従事者により当該患者へ医薬品の投与が行われる部屋内に設置した表示パネルからなる表示部４−２に報知内容を表示する表示手段を設け、当該医療従事者を含む関係者に報知するようにしたので、部屋内に設置した表示パネルにより、患者別の医療情報を適切に確認でき、医療行為を的確に遂行できる患者別医療情報確認システムを提供することができる。
【００２９】
また、この発明による実施の形態１によれば、患者が携帯する当該患者の個人情報を記憶するリストバンド１からなる患者情報記憶手段から自動的に読み込んだ情報と、医療従事者が携帯する当該医療従事者個人情報を記憶するＩＤカード２からなる医療従事者情報記憶手段から自動的に読み込んだ情報と、医薬品に付属するタグ３からなる医薬品情報記憶手段から自動的に読み込んだ当該医薬品情報を、無線又は有線ネットワークで接続したホスト計算機５のデータベースから読み込んだ当該患者に関する情報と照合するホスト計算機５のＣＰＵ装置５−１（図示せず）で構成される比較処理部からなる照合手段を備え、前記照合手段の照合動作により、投与前において、当該患者への投与が適切であるか、当該医療従事者により当該患者へ医薬品の投与が行われる部屋内に設置したスピーカによりブザー音または音声により確認でき、不適切な場合はアラーム及び／又は音声で警告を発生する通報手段を設け、当該医療従事者を含む関係者に報知するようにしたので、音声等による通報手段により、患者別の医療情報を適切に確認でき、医療行為を的確に遂行できる患者別医療情報確認システムを提供することができる。
【００３０】
さらに、この発明による実施の形態１によれば、患者が携帯する当該患者の個人情報を記憶するリストバンド１からなる患者情報記憶手段から自動的に読み込んだ情報と、医療従事者が携帯する当該医療従事者個人情報を記憶するＩＤカード２からなる医療従事者情報記憶手段から自動的に読み込んだ情報と、医薬品に付属するタグ３からなる医薬品情報記憶手段から自動的に読み込んだ当該医薬品情報を、無線又は有線ネットワークで接続したホスト計算機５のデータベースから読み込んだ当該患者に関する情報と照合するホスト計算機５のＣＰＵ装置５−１（図示せず）で構成される比較処理部からなる照合手段を備え、前記照合手段の照合動作により、投与前において、当該患者への投与が適切であるか、当該医療従事者により当該患者へ医薬品の投与が行われる部屋内に設置した表示パネルからなる表示部４−２に内容を表示する表示手段を設けるとともに、前記照合手段の照合動作により、投与前において、当該患者への投与が適切であるか、当該医療従事者により当該患者へ医薬品の投与が行われる部屋内に設置したスピーカによりブザー音または音声により確認でき、不適切な場合はアラーム及び／又は音声で警告を発生する通報手段を設け、設置場所、設置条件によって、前記表示手段及び／又は前記通報手段を作動させ、当該医療従事者を含む関係者に報知するようにしたので、表示パネルによる表示手段及び／又は音声等による通報手段を設置場所、設置条件に応じて作動させることにより、患者別の医療情報を適切に確認でき、医療行為を的確に遂行できる患者別医療情報確認システムを提供することができる。
【００３１】
さらにまた、この発明による実施の形態１によれば、前３項のいずれかの構成において、前記照合手段における照合動作関連情報を前記ホスト計算機５へ記録し、監視室又はナースセンター等の監視部署での確認及び／又は監視部署への通報を行うようにしたので、ホスト計算機への記録並びに監視部署での確認及び／又は監視部署への通報を行うことにより、患者別の医療情報を適切に確認でき、医療行為を的確に遂行できる患者別医療情報確認システムを提供することができる。
【００３２】
そして、この発明による実施の形態１によれば、患者が携帯する当該患者の個人情報を記憶するリストバンド１からなる患者情報記憶手段から自動的に読み込んだ患者情報と、医療従事者が携帯する当該医療従事者の個人情報を記憶するＩＤカード２からなる医療従事者情報記憶手段から自動的に読み込んだ医療従事者情報と、医薬品に付属するタグ３からなる医薬品情報記憶手段から読み込んだ医薬品情報を、ネットワークで接続したホスト計算機５のデータベースへ投与記録として自動的に記録し、前記患者情報及び前記医療従事者情報並びに前記医薬品情報を当該医療従事者により当該患者へ医薬品の投与が行われる部屋内に設置した表示パネルからなる表示部４−２で確認できるようにして、当該医療従事者を含む関係者に報知するようにしたので、関係情報を部屋内に設置した表示パネルで確認できて、患者別の医療情報を適切に確認でき、医療行為を的確に遂行できる患者別医療情報確認システムを提供することができる。
【００３３】
実施の形態２．
この発明による実施の形態２を図４から図９までについて説明する。図４は実施の形態２におけるシステムの構成を示すブロック図である。図５は実施の形態２における読み取り装置の配置例を示す平面図である。図６は実施の形態２におけるシステムの立ち入り制限に係わる動作を示すフローチャートである。図７は実施の形態２におけるシステムの診療案内に係わる動作を示すフローチャートである。図８は実施の形態２におけるシステムの患者搬送に係わる動作を示すフローチャートである。図９は実施の形態２におけるシステムの外来見舞い者案内に係わる動作を示すフローチャートである。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００３４】
システム構成を示す図４において、自動読み取り装置４は病院通路に設置し、患者／外来見舞い者のリストバンド１もしくは医療従事者ＩＤカード２から患者／医療従事者／外来見舞い者の情報を読み取り、患者情報、案内、病院情報などを表示する。
【００３５】
図５は病院内に設置する自動読み取り装置４の配置例である。
自動読み取り装置４は部屋入り口近傍に設置し、通過時の自動読み取りが可能なよう考慮する。
また、通路幅が広い場合などはセンサー部４−１を増設したり、通路の両サイドに設置して死角となる場所がないように配置する。
ただし、全エリアを網羅する配置は不要であり、場所が特定できるポイントを選出する。
【００３６】
病院内に設置された自動読み取り装置４では患者・医療従事者の通過で読み取り情報を記録する。
患者の搬送時にも患者のリストバンド１から搬送先が適切であるか確認することができる。
また、搬送先では当該患者情報を表示部４−２で確認することができる。
【００３７】
さらに、病院内に設置された自動読み取り装置４は、患者のナビゲーション情報がある場合は、当該患者情報を読み取り時に、案内誘導を表示部４−２に表示する。主な案内誘導として、次の診察・治療場所への誘導などがある。
【００３８】
自動読み取り装置４で読み込んだリストバンド１または医療従事者ＩＤカード２の情報はホスト計算機５に記録する。
ホスト計算機５では、記録した当該リストバンド１、当該医療従事者ＩＤカード２の読み込み記録より、現在位置を最新読み取り場所より特定する。また、読み込み時間と読み取り場所より移動経路を特定する。
【００３９】
ホスト計算機５では、病院情報として、売店場所、売店営業時間、売店販売品情報、食堂場所、食堂営業時間、食堂メニュー・料金などの情報を保有し、自動読み取り装置４からのリクエストによって、当該情報を提供し、表示部４−２に表示することができる。病院情報は監視端末からその情報をメンテナンスでき、最新の病院情報を提供する。
【００４０】
外来見舞い者は、外来受付時に識別情報を記憶するリストバンド１を受け取る。その際、当該目的患者の面会可否状況を確認することができる。
ホスト計算機５の患者情報と前記リストバンド１の関連づけにより、読み取り装置４で外来見舞い者識別情報を読み込むと当該目的患者への案内を行う。
読み取り装置４の表示部４−２においてリクエストで当該目的患者の面会可否が再確認できる。
また、受付にて目的患者を複数設定でき、複数の目的患者への見舞いを可能とする。
【００４１】
この発明による実施の形態２におけるシステムの立ち入り制限に係わる動作を図６について説明する。
病院内通路に設置された自動読み取り装置４は、読み取り範囲にある、患者リストバンド１からの患者情報、及び、医療従事者ＩＤカード２からの医療従事者情報を読み取りを行い、これらの情報を読み込む（ステップＳ６０１）。
自動読み取り装置４は、表示パネルからなる表示部４−２に表示するとともに、自動読み取り装置４で記録する（ステップＳ６０２）。
自動読み取り装置４から、読み取り情報を無線又は有線ネットワークで接続されたホスト計算機５へ送信する（ステップＳ６０３）。
【００４２】
ホスト計算機５は、読み取り情報をホスト計算機５がデータベースとして保有する病院情報と照合してアクセス権を確認し（ステップＳ６０４）、照合結果を記録する（ステップＳ６０５）。
ホスト計算機５では、照合結果について適切かどうかのチェック動作を行い（ステップＳ６０６）、照合結果が「適切」であれば、読み取り装置４へ照合結果を送信する（ステップＳ６０７）。
患者情報の取り込みを行った読み取り装置４は、表示パネルからなる表示部４−２により病院通路において読み取り情報と照合結果を並べて表示する（ステップＳ６０８）。
照合結果が「適切でない」とされ、患者が立ち入り制限区域に進入したと判断される場合には、ホスト計算機５にて警報表示及び／ブザー鳴動を行い、監視室又はナースセンター等の監視部署へ通報する（ステップＳ６０９）とともに、読み取り装置４へ照合結果を送信する（ステップＳ６１０）。
患者情報の取り込みを行った読み取り装置４は、表示パネルからなる表示部４−２により当該患者の立ち入り制限区域とされる病院通路において読み取り情報と照合結果を並べて表示しアラームあるいは音声による警告を行う（ステップＳ６１１）。
【００４３】
この発明による実施の形態２におけるシステムの診療案内に係わる動作を図７について説明する。
病院内通路に設置された自動読み取り装置４は、読み取り範囲にある、患者リストバンド１からの患者情報を読み取りを行い、この情報を読み込む（ステップＳ７０１）。
自動読み取り装置４は、読み込んだ患者情報を無線又は有線ネットワークで接続されたホスト計算機５へ送信し、ホスト計算機５はデータベースとして保有する情報に診療ナビゲーション情報があるかどうかのチェック動作を行い（ステップＳ７０２）、診療ナビゲーション情報があれば、ホスト計算機５は自動読み取り装置４に送信する。
自動読み取り装置４が表示パネルからなる表示部４−２に該当場所への案内を表示する（ステップＳ７０３）とともに、ホスト計算機５で案内表示事項を記録する（ステップＳ７０４）。
診療ナビゲーション情報がなければ、ホスト計算機５は自動読み取り装置４に、診療ナビゲーション情報がないことを送信し、自動読み取り装置４は表示パネルからなる表示部４−２に診療ナビゲーション情報がないことの表示を行う（ステップＳ７０５）。
【００４４】
この発明による実施の形態２におけるシステムの患者搬送に係わる動作を図８について説明する。
病院内通路に設置された自動読み取り装置４は、読み取り範囲にある、患者リストバンド１からの患者情報について読み取りを行い、これらの情報を読み込む（ステップＳ８０１）。
自動読み取り装置４は、読み込んだ患者情報を無線又は有線ネットワークで接続されたホスト計算機５へ送信し、ホスト計算機５はデータベースとして保有する情報に当該患者の搬送情報があるかどうかのチェック動作をＣＰＵ装置５−１（図示せず）で行い（ステップＳ８０２）、搬送情報があれば、患者情報が搬送情報と合致するかどうかのチェック動作をＣＰＵ装置５−１（図示せず）で行う（ステップＳ８０４）。
患者情報が搬送情報と合致し患者搬送時の搬送区域が適切であれば、ホスト計算機５は、患者情報が搬送情報と合致し患者搬送時の搬送区域が適切であること及び搬送情報を自動読み取り装置４へ送信する。
自動読み取り装置４は、表示パネルからなる表示部４−２に読み取り情報と、患者情報、搬送情報を並べて表示する（ステップＳ８０５）。
搬送情報がなければ、ホスト計算機５は、当該患者についての搬送情報がないことを自動読み取り装置４へ送信し、自動読み取り装置４は表示パネルからなる表示部４−２に搬送情報がないことの表示を行う（ステップＳ８０３）。
患者情報が搬送情報と合致せず患者搬送時の搬送区域が適切でない場合には、ホスト計算機５は、患者情報が搬送情報と合致せず患者搬送時の搬送区域が適切でないことを自動読み取り装置４へ送信し、自動読み取り装置４は表示パネルからなる表示部４−２に患者情報が搬送情報と合致せず患者搬送時の搬送区域が適切でないことの表示／警告を行うとともに、アラーム及び／又は音声による警告を行い、かつ、監視室又はナースセンター等の監視部署へ通報する（ステップＳ８０６）。
医療従事者は続行するかどうかを判断し（ステップＳ８０７）、続行するならば、表示パネルからなる表示部４−２に読み取り情報と、患者情報、搬送情報を並べて表示する（ステップＳ８０５）。
続行が不適当であると判断したならば、再び、患者情報の読み込みを行い、再度確認を行う（ステップＳ８０１）。
【００４５】
この発明による実施の形態２におけるシステムの外来見舞い者案内に係わる動作を図９について説明する。
自動読み取り装置４は、読み取り範囲にある、外来見舞い者のリストバンド１からの外来者情報を読み取りを行い、この情報を読み込む（ステップＳ９０１）。
ホスト計算機５の患者情報と外来見舞い者のリストバンド１からの外来者情報との関連付けによって、自動読み取り装置４は、目的患者が存在するかどうかのチェック動作を行い（ステップＳ９０２）、目的患者が存在すれば、患者状態の照合を行って（ステップＳ９０３）、面会可能かどうかのチェック動作を行う（ステップＳ９０４）。
目的患者が存在しなければ、目的患者が登録されていないことを表示パネルからなる表示部４−２に表示する（ステップＳ９０５）。
面会可能かどうかのチェック動作の結果により（ステップＳ９０４）、面会が可能であれば、該当場所への案内を表示パネルからなる表示部４−２に表示する（ステップＳ９０６）とともに、ホスト計算機５で記録する（ステップＳ９０７）。
面会できない場合には、面会できないことを表示パネルからなる表示部４−２に表示する（ステップＳ９０８）。
【００４６】
この発明による実施の形態２によれば、実施の形態１におけるいずれかの構成において、患者が携帯する当該患者の個人情報を記憶するリストバンド１からなる患者情報記憶手段から、当該個人情報を、病院内通路及び部屋内に設置した自動読み取り装置４で読み取り、当該患者の所在場所を、監視室又はナースセンター等の監視部署に設置した監視端末６の画面で確認することができるようにしたので、患者別の医療情報を適切に確認でき、医療行為を的確に遂行できるとともに、患者の所在場所を迅速かつ容易に確認できる患者別医療情報確認システムを提供することができる。
【００４７】
また、この発明による実施の形態２によれば、前項の構成において、患者が携帯する当該患者の個人情報を記憶するリストバンド１からなる患者情報記憶手段から、当該個人情報を、病院内通路及び部屋内に設置した自動読み取り装置４で読み取り、当該患者の所在場所から移動経路を記録し、監視室又はナースセンター等の監視部署に設置した監視端末６の画面で確認することができるようにしたので、患者別の医療情報を適切に確認でき、医療行為を的確に遂行できるとともに、患者の移動経路を迅速かつ容易に確認できる患者別医療情報確認システムを提供することができる。
【００４８】
さらに、この発明による実施の形態２によれば、前項の構成において、患者が携帯する当該患者の個人情報を記憶するリストバンド１からなる患者情報記憶手段から、病院内通路に設置した前記自動読み取り装置４で読み込んだ情報を、無線又は有線ネットワークで接続したホスト計算機５のデータベースと照合し、患者の立ち入り制限区域への進入時に、アラームもしくは音声で警告するとともに患者の立ち入り制限区域である当該場所に設けられた前記自動読み取り装置４に付属する表示パネルからなる表示部４−２で構成された病院内通路表示装置に表示し、監視室又はナースセンター等の監視部署へ通報するようにしたので、患者別の医療情報を適切に確認でき、医療行為を的確に遂行できるとともに、患者の不適切な行動を阻止できる患者別医療情報確認システムを提供することができる。
【００４９】
さらにまた、この発明による実施の形態２によれば、前項の構成において、患者が携帯する当該患者の個人情報を記憶するリストバンド１からなる患者情報記憶手段から、病院内通路に設置した前記自動読み取り装置４で読み込んだ情報を、無線又は有線ネットワークで接続したホスト計算機５のデータベースと照合し、診療時に次の診療場所への適切な案内を病院内通路表示装置へ表示することにより情報提供するようにしたので、患者別の医療情報を適切に確認でき、医療行為を的確に遂行できるとともに、患者の診療場所への案内を適切に行える患者別医療情報確認システムを提供することができる。
【００５０】
そして、この発明による実施の形態２によれば、前項の構成において、患者が携帯する当該患者の個人情報を記憶するリストバンド１からなる患者情報記憶手段から自動的に読み込んだ情報と、病院内通路に設置した前記自動読み取り装置４で読み込んだ情報を、無線又は有線ネットワークで接続したホスト計算機５のデータベースから、患者搬送時の搬送区域が適切であるか照合し、適切な場合はブザー音及び／又は音声にて適切であることを案内し、不適切なときは、アラーム及び／又は音声とともに警告を病院内通路表示装置に表示し、監視室又はナースセンター等の監視部署へ通報するようにしたので、患者別の医療情報を適切に確認でき、医療行為を的確に遂行できるとともに、患者の搬送を的確に行える患者別医療情報確認システムを提供することができる。
【００５１】
また、この発明による実施の形態２によれば、前項の構成において、医療従事者が携帯する当該医療従事者個人情報を記憶するＩＤカード２からなる医療従事者情報記憶手段から、当該個人情報を、病院内通路及び部屋内に設置した自動読み取り装置４で読み取り、当該医療従事者の所在場所及び移動経路を、監視室又はナースセンター等の監視部署に設置した監視端末の画面で確認することができるようにしたので、患者別の医療情報を適切に確認でき、医療行為を的確に遂行できるとともに、医療従事者の所在場所を容易に確認できる患者別医療情報確認システムを提供することができる。
【００５２】
さらに、この発明による実施の形態２によれば、前項の構成において、病院スタッフについても個人ＩＤカードからなる個人情報記憶手段を携帯させ、前記医療従事者と同様に所在場所及び移動経路を、監視室又はナースセンター等の監視部署に設置した監視端末で確認できるようにしたので、患者別の医療情報を適切に確認でき、医療行為を的確に遂行できるとともに、病院スタッフの所在場所を容易に確認できる患者別医療情報確認システムを提供することができる。
【００５３】
さらにまた、この発明による実施の形態２によれば、前項の構成において、外来見舞い者に識別情報を記憶するリストバンド１からなる外来者識別情報記憶手段を携帯させ、病院内通路に設置した自動読み取り装置４で読み込んだ当該位置情報を、無線又は有線ネットワークで接続したホスト計算機５のデータベースで照合し、目的とする部屋までの適切な案内を病院内通路表示装置へ表示することにより情報提供するようにしたので、患者別の医療情報を適切に確認でき、医療行為を的確に遂行できるとともに、外来者の案内を適切に行える患者別医療情報確認システムを提供することができる。
【００５４】
そして、この発明による実施の形態２によれば、前項の構成において、外来見舞い者に識別情報を記憶するリストバンド１からなる外来者識別情報記憶手段を携帯させ、病院内通路に設置した自動読み取り装置４で読み込んだ当該位置情報を、無線又は有線ネットワークで接続したホスト計算機５のデータベースで照合し、外来見舞い者の立ち入り制限区域への進入時に、アラームもしくは音声で警告するとともに外来見舞い者の立ち入り制限区域である当該場所に設けられた前記自動読み取り装置４に付属する表示パネルからなる表示部４−２で構成された病院内通路表示装置に表示し、監視室又はナースセンター等の監視部署へ通報するようにしたので、患者別の医療情報を適切に確認でき、医療行為を的確に遂行できるとともに、外来者の不適切な行動を阻止できる患者別医療情報確認システムを提供することができる。
【００５５】
また、この発明による実施の形態２によれば、前項の構成において、自動読み取り装置４で読み込んだ外来見舞い者の識別情報に基づき、外来見舞い者が見舞う目的入院患者の面会可能状況を無線又は有線ネットワークで接続したホスト計算機５のデータベースによって把握し、前記自動読み取り装置４に付属する表示パネルからなる表示部４−２で構成された病院内通路表示装置で面会可能状況を確認するようにしたので、患者別の医療情報を適切に確認でき、医療行為を的確に遂行できるとともに、面会状況の確認を容易に行える患者別医療情報確認システムを提供することができる。
【００５６】
さらに、この発明による実施の形態２によれば、前項の構成において、前記リストバンド１からなる外来者識別情報記憶手段の識別情報により開示する情報を制限するようにしたので、患者別の医療情報を適切に確認でき、医療行為を的確に遂行できるとともに、不当な情報開示を阻止できる患者別医療情報確認システムを提供することができる。
【００５７】
さらにまた、この発明による実施の形態２によれば、前項の構成において、病院情報として、売店場所、売店営業時間、食堂場所、食堂営業時間を記憶し、部屋内または通路に設置した表示装置で前記病院情報を確認できるようにしたので、患者別の医療情報を適切に確認でき、医療行為を的確に遂行できるとともに、必要な病院情報を容易に確認できる患者別医療情報確認システムを提供することができる。
【００５８】
この発明による実施の形態は、以上に示したように構成され、また手段を含むので、以下に示すような効果を奏する。
この発明による患者別医療情報確認システムは、投与前において、当該患者への投与が適切であるか確認することができる。
【００５９】
また、適切でない場合はその場で、表示とブザー及び／又は音声で容易に把握できる。
【００６０】
また、自動読み込み情報にて患者情報、医療従事者情報、医薬品情報の時刻記録つきの第三者的な履歴管理を行うことができる。
【００６１】
また、投与時や立ち入り制限区域への進入時などの異常状態を自動的に監視室又はナースセンターで当該患者、当該医療従事者、当該場所といった情報を含めて把握することができる。
【００６２】
また、病院内での患者搬送時に、患者や搬送場所の確認ができ、患者情報の引き継ぎをスムーズに行うことができる。
【００６３】
また、患者に対して、診療時に次の診療場所への適切な案内を病院内通路表示パネルへ表示することにより情報提供し、待ち時間を無くし、診療をスムーズに行うことができる。
【００６４】
また、患者、医療従事者の所在場所を画面上で確認でき、連絡や所在確認をスムーズに行うことができる。所在場所を時系列に確認することにより、移動経路を把握することができる。
【００６５】
さらにまた、患者や外来見舞い者に対して、当該目的入院患者の情報や病院情報を提供して、病院内での各種案内をスムーズに行うことができる。
【図面の簡単な説明】
【００６６】
【図１】この発明による実施の形態１における基本的構成を示すブロック図である。
【図２】この発明による実施の形態１におけるシステムの構成を示すブロック図である。
【図３】この発明による実施の形態１におけるシステムの動作を示すフローチャートである。
【図４】この発明による実施の形態２におけるシステムの構成を示すブロック図である。
【図５】この発明による実施の形態２における読み取り装置の配置例を示す平面図である。
【図６】この発明による実施の形態２におけるシステムの立ち入り制限に係わる動作を示すフローチャートである。
【図７】この発明による実施の形態２におけるシステムの診療案内に係わる動作を示すフローチャートである。
【図８】この発明による実施の形態２におけるシステムの患者搬送に係わる動作を示すフローチャートである。
【図９】この発明による実施の形態２におけるシステムの外来見舞い者案内に係わる動作を示すフローチャートである。
【符号の説明】
【００６７】
１  リストバンド、２  医療従事者ＩＤカード、３  医薬品情報タグ、４  自動読み取り装置、４−１  センサー部、４−２  表示部、５  ホスト計算機、５−２  記憶装置、５−３  表示装置、５−５  警報表示部、６  監視端末。
【図１】
2005038265.tif 000003
【図２】
2005038265.tif 000004
【図３】
2005038265.tif 000005
【図４】
2005038265.tif 000006
【図５】
2005038265.tif 000007
【図６】
2005038265.tif 000008
【図７】
2005038265.tif 000009
【図８】
2005038265.tif 000010
【図９】
2005038265.tif 000011